(57)【要約】【課題】ＬＣＤなど固定画素型表示装置に表示する画像を、容易に、任意の位置に任意の倍率で表示可能にする固定画素型表示システムを提供する。【解決手段】原映像信号ＶＩＤＥＯをスキャンコンバータ１２によりＬＣＤ装置２２のパネルの解像度やサイズ（アスペクト比）に合うように変換してＬＣＤ装置２２に表示させる。コンバータ１２とＬＣＤドライバ装置２０の間に、ＬＣＤ装置２２のパネル（表示領域２２０）の解像度の映像信号をディジタル信号処理する映像信号調整部１４を追加する。ユーザがセーフエリアズームボタンを押すと、制御処理部１６は、映像信号調整部１４で検出した水平同期信号の値およびドットクロックの値に基づいてコンバータ１２の水平、垂直方向の開始位置、および、水平方向および垂直方向の拡大倍率を計算し、コンバータ１２の変換条件を変更する。スキャンコンバータ１２はその変換制御信号Ｓ１６に応じて変換処理を行なう。【選択図】      図１
2004271802.tif 000002
【特許請求の範囲】
【請求項１】
第１の映像信号を固定画素型表示装置の解像度およびアスペクト比に応じたディジタル形式の第２の映像信号に変換する第１の変換手段と、
固定画素型表示装置に表示された上記第２の映像信号のうち指定された範囲の映像信号を、指定された変換条件で変換する第２の変換手段と、
上記固定画素型表示装置に表示される上記第２の映像信号の水平方向位置および垂直方向位置を検出する映像信号位置検出手段と、
上記固定画素型表示装置に表示されている映像信号についてセーフエリアズーム範囲が指定されたとき、上記映像信号位置検出手段で検出した上記第２の映像信号の水平方向位置および垂直方向位置を中心とする上記セーフエリアズーム範囲の映像信号を上記固定画素型表示装置の表示領域に拡大表示可能な映像信号に変換するため、上記第２の変換手段の変換条件を指定する制御手段と
を有する表示処理装置。
【請求項２】
上記セーフエリアズーム範囲の外部の上記固定画素型表示装置の表示領域をハーフブランキング処理する手段をさらに有する、
請求項１記載の表示処理装置。
【請求項３】
上記制御手段は、上記セーフエリアズーム範囲が指定されたとき、指定された範囲の映像信号を上記固定画素型表示装置の表示画面一杯に拡大することを特徴とする
請求項１に記載の表示処理装置。
【請求項４】
上記制御手段は、上記セーフエリアズーム範囲が指定されたとき、指定された範囲の映像信号を拡大表示の指示がある間、所定の比率で映像信号を拡大表示するための変換処理を行い、前記第２の変換手段に指示する、
請求項１に記載の表示処理装置。
【請求項５】
上記制御手段は、上記セーフエリアズーム範囲に拡大表示されている映像信号を縮小する指示がある間、所定の比率で映像信号を縮小表示するための変換処理を行い、前記第２の変換手段に指示する、
請求項４に記載の表示処理装置。
【請求項６】
固定画素型表示装置と、
表示内容を指示する操作指示手段と、
第１の映像信号を上記固定画素型表示装置の解像度およびアスペクト比に応じたディジタル形式の第２の映像信号に変換する第１の変換手段と、
上記固定画素型表示装置に表示された上記第２の映像信号のうち、上記操作指示手段を介して指定された範囲の映像信号を、指定された変換条件で変換する第２の変換手段と、
上記固定画素型表示装置に表示される上記第２の映像信号の水平方向位置および垂直方向位置を検出する映像信号位置検出手段と、
上記固定画素型表示装置に表示されている映像信号について上記操作指示手段を介してセーフエリアズーム範囲が指定されたとき、上記映像信号位置検出手段で検出した上記第２の映像信号の水平方向位置および垂直方向位置を中心とする上記セーフエリアズーム範囲の映像信号を上記固定画素型表示装置の表示領域に拡大表示可能な映像信号に変換するため、上記第２の変換手段の変換条件を指定する制御手段と
を有する固定画素型表示システム。
【請求項７】
上記セーフエリアズーム範囲の外部の上記固定画素型表示装置の表示領域をハーフブランキング処理する手段をさらに有する、
請求項６記載の固定画素型表示システム。
【請求項８】
上記制御手段は、上記セーフエリアズーム範囲が指定されたとき、指定された範囲の映像信号を上記固定画素型表示装置の表示画面一杯に拡大することを特徴とする
請求項６に記載の固定画素型表示システム。
【請求項９】
上記制御手段は、上記セーフエリアズーム範囲が指定されたとき、指定された範囲の映像信号を拡大表示の指示がある間、所定の比率で映像信号を拡大表示するための変換処理を行い、前記第２の変換手段に指示する、
請求項６に記載の固定画素型表示システム。
【請求項１０】
上記制御手段は、上記セーフエリアズーム範囲に拡大表示されている映像信号を縮小する指示がある間、所定の比率で映像信号を縮小表示するための変換処理を行い、前記第２の変換手段に指示する、
請求項６に記載の固定画素型表示システム。
【発明の詳細な説明】
【０００１】
【発明の属する技術分野】
本発明は、液晶表示装置などのように画素位置が固定している固定画素型表示装置（またはドットマトリクス方式の表示装置）に画像を表示する固定画素型表示システム、および、そのための処理を行なう表示処理装置に関する。
特に、本発明はそのような固定画素型表示装置に、簡単な方法で、ユーザが希望する大きさで、希望する位置に映像信号を表示する技術に関する。
【０００２】
【従来の技術】
ＣＲＴ表示装置、液晶表示装置などの画像表示装置に各種の映像（画像）信号を選択的に切り換えて表示する場合、画像表示装置の解像度、アスペクト比（縦横比率）に合致するように、表示装置に入力される映像信号を変換して表示している。
特開２０００−３０５５５５号公報は、映像信号のフォーマットなどが未知の場合でも映像信号の仕様を判別して液晶表示装置の仕様に適合するように所定の変換を行なって映像信号を表示する技術を開示している。
【０００３】
画像表示装置は、映像信号（画像）が表示される領域と、その外周に位置し通常は画像が表示されない領域（オーバースキャン領域）が設けられている。したがって、オーバースキャン領域には画像を表示することはできない。
【０００４】
ラスタスキャン方式の表示装置、たとえば、ＣＲＴ表示装置に、ディジタルスチルカメラで撮像した画像を表示したとき、オーバースキャン領域にも撮像画像が位置し、オーバースキャン領域に位置する画像の一部が表示されない。そのような問題を解決するため、特開２０００−８１８６７号公報は、出力範囲可変手段で画像表示範囲を変更して、オーバースキャン領域内に画像を表示する技術を開示している。
【０００５】
液晶表示装置などの固定画素型表示装置（ドットマトリクス方式の表示装置）に、画面（画像）の一部を拡大表示する場合、これまで、ＣＲＴ表示装置のようなラスタスキャン方式のようにラスタスキャン条件、たとえば、掃引周波数の変更などでは拡大表示はできないので、固定の拡大範囲（あるいは倍率）を事前に準備しておき、固定された複数の拡大範囲のいずれかを選択していた。
【０００６】
【特許文献１】
特開２０００−３０５５５５号公報
【特許文献２】
特開２０００−８１８６７号公報
【０００７】
【発明が解決しようとする課題】
しかしながら、液晶表示装置などに画面の一部を拡大して表示するとき、上述した方法では、固定した拡大範囲に限定され、ユーザが拡大範囲および倍率を自由に設定できないという不自由さに遭遇している。
さらに、従来の方法では、ユーザが選択した実際の拡大範囲を視覚的に確認できず、試行錯誤的に何度か選択を繰り返す必要があり、時間と労力がかかり、操作性が低いという問題に遭遇している。
【０００８】
また、放送用モニター機器ではアンダースキャン時に、家庭用テレビジョン受像機でも表示されることを保証する場所（  セーフエリア）  」を示す「セーフエリアマーカー」と呼ばれる機能が設けられている。しかしながら、従来のものは、そのセーフエリアとそのモニターの実際のオーバースキャン時の表示エリアが違っていた。
【０００９】
そこで、表示装置の画面上の任意の範囲を指定し、その部分をボタン押下やメニュー選択等により画面全体に拡大することが望まれている。
【００１０】
本発明の目的は、固定画素型表示装置（またはドットマトリクス方式の表示装置）に表示する画像を、容易に、任意の位置に任意の倍率で表示可能にする、表示処理装置および固定画素型表示システムを提供することにある。
【００１１】
本発明の他の目的は、そのような表示処理に際して、ユーザが自分が設定した状態を視認（目視）可能にする、表示処理装置および固定画素型表示システムを提供することにある。
【００１２】
【課題を解決するための手段】
本発明の第１の観点によれば、第１の映像信号を固定画素型表示装置の解像度およびアスペクト比に応じたディジタル形式の第２の映像信号に変換する第１の変換手段と、固定画素型表示装置に表示された上記第２の映像信号のうち指定された範囲の映像信号を、指定された変換条件で変換する第２の変換手段と、上記固定画素型表示装置に表示される上記第２の映像信号の水平方向位置および垂直方向位置を検出する映像信号位置検出手段と、上記固定画素型表示装置に表示されている映像信号についてセーフエリアズーム範囲が指定されたとき、上記映像信号位置検出手段で検出した上記第２の映像信号の水平方向位置および垂直方向位置を中心とする上記セーフエリアズーム範囲の映像信号を上記固定画素型表示装置の表示領域に拡大表示可能な映像信号に変換するため、上記第２の変換手段の変換条件を指定する制御手段とを有する表示処理装置が提供される。
【００１３】
本発明の第２の観点によれば、固定画素型表示装置と、表示内容を指示する操作指示手段と、第１の映像信号を上記固定画素型表示装置の解像度およびアスペクト比に応じたディジタル形式の第２の映像信号に変換する第１の変換手段と、上記固定画素型表示装置に表示された上記第２の映像信号のうち、上記操作指示手段を介して指定された範囲の映像信号を、指定された変換条件で変換する第２の変換手段と、上記固定画素型表示装置に表示される上記第２の映像信号の水平方向位置および垂直方向位置を検出する映像信号位置検出手段と、上記固定画素型表示装置に表示されている映像信号について上記操作指示手段を介してセーフエリアズーム範囲が指定されたとき、上記映像信号位置検出手段で検出した上記第２の映像信号の水平方向位置および垂直方向位置を中心とする上記セーフエリアズーム範囲の映像信号を上記固定画素型表示装置の表示領域に拡大表示可能な映像信号に変換するため、上記第２の変換手段の変換条件を指定する制御手段とを有する固定画素型表示システムが提供される。
【００１４】
第１の変換手段は、第１の映像信号を固定画素型表示装置の解像度およびアスペクト比に応じたディジタル形式の第２の映像信号に変換する。
第２の変換手段は、固定画素型表示装置に表示された上記第２の映像信号のうち、指定された範囲の映像信号を、指定された変換条件で変換する。
映像信号位置検出手段は、上記固定画素型表示装置に表示される上記第２の映像信号の水平方向位置および垂直方向位置を検出する。
制御手段は、上記固定画素型表示装置に表示されている映像信号についてセーフエリアズーム範囲が指定されたとき、上記映像信号位置検出手段で検出した上記第２の映像信号の水平方向位置および垂直方向位置を中心とする上記セーフエリアズーム範囲の映像信号を上記固定画素型表示装置の表示領域に拡大表示可能な映像信号に変換するため、上記第２の変換手段の変換条件を指定する。
第２の変換手段が、指定された変換条件で映像信号を変換する。その結果が固定画素型表示装置に表示される。
【００１５】
【発明の実施の形態】
第１実施の形態
図１は本発明の固定画素型表示システムの第１実施の形態の構成図である。
本発明の固定画素型表示システムの第１実施の形態の固定画素型表示システム（以下、簡略化して、表示システムという）１０は、スキャンコンバータ１２、映像信号調整部１４、制御処理部１６、操作指示部１８、液晶表示用ドライバ装置（ＬＣＤドライバ装置）２０、および、液晶表示（ＬＣＤ）装置２２を有する。
【００１６】
本発明の第１実施の形態の表示システム１０においては、本発明の固定画素型表示装置（またはドットマトリクス方式の表示装置）として、ＬＣＤ装置２２とそのドライバ装置（ＬＣＤドライバ装置）２０とを用いる場合について例示する。ＬＣＤドライバ装置２０およびＬＣＤ装置２２は、本発明の固定画素型表示装置に該当する。
ＬＣＤ装置２２は、ＣＲＴ表示装置におけるラスタスキャン方式のように、掃引周波数などに応じて画像の表示位置（画素位置）などが変更可能な表示装置ではなく、物理的に固定された二次元状態に配列された複数の画素の位置が構造的に固定している。
【００１７】
図２（Ａ）は図１に図解したＬＣＤ装置の正面外観図であり、図２（Ｂ）は図２（Ａ）の表示部分を示す図である。
図２（Ａ）に図解したように、ＬＣＤ装置２２は、表示領域２２０とＬＣＤ装置操作部２２２とを有している。ＬＣＤ装置操作部２２２は、電源スイッチ、輝度を調整するボタン（スイッチ）などを有する。
図２（Ｂ）に図解したように、表示領域２２０は、中央のセーフ領域ＳＡと、その外周のブランキング領域ＢＡから構成されている。セーフ領域ＳＡは座標（ｘ１，ｙ１）、（ｘ２，ｙ１）、（ｘ１，ｙ２）、（ｘ２，ｙ２）で領域が規定され、ブランキング領域ＢＡは座標（Ｘ１，Ｙ１）、（Ｘ２，Ｙ１）、（Ｘ１，Ｙ２）、（Ｘ２，Ｙ２）で領域が規定される。
【００１８】
表示システム１０の概要を述べる。
ＬＣＤ装置２２などの固定画素の表示装置はコンピュータ等から送られてきた様々なディジタルの映像信号、または、ＮＴＳＣなどのアナログのＴＶ用映像信号（これらを原映像信号ＶＩＤＥＯという）をスキャンコンバータ１２によりＬＣＤ装置２２のパネルの解像度やサイズ（縦横の比、すなわち、アスペクト比）に合うように変換してＬＣＤドライバ装置２０を介してＬＣＤ装置２２に表示信号Ｓ２０を供給してＬＣＤ装置２２に表示させる。
本実施の形態においては、スキャンコンバータ１２とＬＣＤドライバ装置２０の間に、ＬＣＤ装置２２のパネル（表示領域２２０）の解像度の映像信号をディジタル信号処理する映像信号調整部１４を設けて、エリアセーフマーカーを実現する。
【００１９】
映像信号調整部１４は、ノーマルスキャン表示（通常表示モード）時に、スキャンコンバータ１２で変換された通常変換映像信号ＶＩＤＥＯ−１が１ライン毎に発生する水平同期信号Ｈ−ＳＹＮＣの数をカウントし、垂直方向のセーフ領域ＳＡの位置をコントロールする。
また映像信号調整部１４は、通常変換映像信号ＶＩＤＥＯ−１の１ドットごとに発生するドットクロックＤ−ＣＬＫの数をカウントすることにより水平方向のセーフ領域ＳＡの位置を検出して水平方向の映像信号の処理をコントロールする。その際、映像信号調整部１４は、セーフ領域ＳＡ外の映像にハーフブランキング（画像を暗くすること）  をかけるなどして、表示領域２２０内のセーフ領域ＳＡをユーザが視覚的に確認できるようにする。
【００２０】
その状態でユーザが操作指示部１８に設けられたセーフエリアズームボタン、または、ＬＣＤ装置２２のＬＣＤ装置操作部２２２に設けられたセーフエリアズームボタンを押すと、制御処理部１６は、映像信号調整部１４から制御処理部１６に映像信号状態検出信号Ｓ１４として出力される、そのとき映像信号調整部１４がカウントした水平同期信号の値およびドットクロックの値に基づいてスキャンコンバータ１２の水平、垂直方向の開始位置、および、水平方向および垂直方向の拡大倍率を計算し、スキャンコンバータ１２のレジスタ（メモリ）の設定を変更するため、スキャンコンバータ１２に変換制御信号Ｓ１６を出力する。
【００２１】
スキャンコンバータ１２は変換制御信号Ｓ１６で指定された、水平、垂直方向の開始位置、および、水平方向および垂直方向の拡大倍率に基づいて、原映像信号ＶＩＤＥＯの大きさを変換してズーム用映像信号ＶＩＤＥＯ−２を出力する。このズーム用映像信号ＶＩＤＥＯ−２がＬＣＤドライバ装置２０を介してＬＣＤ装置２２に表示される。
その結果、ユーザが指定した表示領域２２０のセーフ領域ＳＡ部分のみを表示領域２２０の画面全体に表示することが可能となる。
以下、本発明の実施の形態の詳細を述べる。
【００２２】
各種仕様
表示システム１０はＬＣＤ装置２２に各種の映像信号を、映像信号の仕様とＬＣＤ装置２２の仕様との関係における制約のもとで、ユーザが希望する条件で表示する。
映像信号の仕様とは、たとえば、ＶＥＳＡ（Ｖｉｄｅｏ  Ｅｌｅｃｔｒｏｎｉｃｓ  Ｓｔａｎｄａｒｄ  Ａｓｓｏｃｉａｔｉｏｎ）  に規定された映像信号の仕様をいう。そのような映像信号の仕様としては、解像度について、たとえば、水平画素６４０ｘ垂直画素４８０、水平画素７２０ｘ垂直画素４００、水平画素８００ｘ垂直画素６００、水平画素１０２４ｘ垂直画素７６８、水平画素１１５２ｘ垂直画素８６４、水平画素１２８０ｘ垂直画素１０２４などがある。また、駆動周波数としては、同じ１２８０ｘ１０２４画素の解像度の映像信号でも、水平周波数６４ｋＨｚ／垂直周波数６０Ｈｚ、水平周波数８０ｋＨｚ／垂直周波数７５Ｈｚ、水平周波数８１ｋＨｚ／垂直周波数７７Ｈｚ、水平周波数９１ｋＨｚ／垂直周波数８５Ｈｚなどがある。
さらに映像信号の仕様としては、たとえば、コンピュータから出力される映像信号などの仕様もある。
【００２３】
ＬＣＤ装置２２の仕様とは、たとえば、種々のアスペクト比（画面の縦／横の寸法の比率）、種々の（水平方向の画素数）ｘ（垂直方向の画素数）、駆動周波数などがある。
【００２４】
制御処理部
制御処理部１６は、操作指示部１８、および／またはＬＣＤ装置２２のＬＣＤ装置操作部２２２を介して指示されるユーザの指示を入力してスキャンコンバータ１２の変換処理を制御する。
制御処理部１６は、操作指示部１８からユーザによって指定される表示モードを示す表示モード指示信号Ｓ１６Ａを生成する。
制御処理部１６はまた、映像信号調整部１４からの映像信号状態検出信号Ｓ１４を入力して、スキャンコンバータ１２の水平、垂直方向の開始位置、および、水平方向および垂直方向の拡大倍率を計算し、計算した結果を示す、スキャンコンバータ１２を制御するための変換制御信号Ｓ１６Ｂ，Ｓ１６Ｃを生成する。
制御処理部１６はさらに、ユーザが操作する操作指示部１８のセーフエリアズームボタンまたはＬＣＤ装置操作部２２２のセーフエリアズームボタンまたはマウスによって指定されたセーフエリアズーム範囲を示す第１マーカー信号ＭＫＲ１を生成し、このマーカー信号ＭＫＲ１で指定されるセーフ領域ＳＡを示す情報を変換信号Ｓ１６Ｃに含ませてスキャンコンバータ１２に出力する。
制御処理部１６はまた、操作指示部１８から指示されるユーザからの指示に基づいて、図７を参照して述べる処理をスキャンコンバータ１２および映像信号調整部１４と協働して表示システム１０全体の制御処理を行なう。
制御処理部１６は本発明の制御手段に該当する。
操作指示部１８および／またはＬＣＤ装置操作部２２２のセーフエリアズームボタン、マウスなどは、本発明の操作手段に該当する。
【００２５】
制御処理部１６の構成を図３に示す。
制御処理部１６は、バス１６４を介して接続された、マイクロコントローラなどの演算処理部（ＣＰＵ）１６０、ランダムアクセスメモリ（ＲＡＭ）１６１、リードオンリーメモリ（ＲＯＭ）１６２、入出力インタフェース（Ｉ／Ｏ−ＩＦ）１６３を有する。
ＲＯＭ１６２にはＣＰＵ１６０において行なわれる各種プログラムが記憶されており、ＣＰＵ１６０はそのようなプログラムの処理に従って、操作指示部１８、および／またはＬＣＤ装置２２のＬＣＤ装置操作部２２２の指定に応じて図７を参照して述べる各種動作制御、および、下記に述べる各種制御信号の生成処理を行なう。
【００２６】
制御処理部１６で生成する信号の意味を下記に述べる。
（１）表示モード指示信号Ｓ１６Ａ
表示モード指示信号Ｓ１６Ａは、操作指示部１８を介してユーザが指示した、通常表示か部分拡大表示かの表示モードを示す、制御処理部１６からスキャンコンバータ１２に指示する表示モードを示す信号であり、表示モード指示信号Ｓ１６Ｂ＝「０」は通常表示モードを示し、表示モード指示信号Ｓ１６Ｂ＝「１」は部分拡大（ズーム）表示モードを示す。
（２）通常表示時の変換信号Ｓ１６Ｂ
通常表示時の変換信号Ｓ１６Ｂは、制御処理部１６が、映像信号調整部１４からの映像信号状態検出信号Ｓ１４を入力して、通常表示モードにおける、スキャンコンバータ１２の水平、垂直方向の開始位置、および、水平方向および垂直方向の拡大倍率を計算し、原映像信号ＶＩＤＥＯを通常変換映像信号ＶＩＤＥＯ−１に変換するためのスキャンコンバータ１２の変換周波数（変換速度）を示す信号である。
通常表示モードにおけるスキャンコンバータ１２における変換周波数は、原映像信号ＶＩＤＥＯと、ＬＣＤドライバ装置２０およびＬＣＤ装置２２の仕様が決まれば決まるが、本実施の形態においては、各種の原映像信号ＶＩＤＥＯ、各種のＬＣＤドライバ装置２０およびＬＣＤ装置２２を選択して使用可能なことを想定しているので、制御処理部１６から通常表示時の変換信号Ｓ１６Ｂをスキャンコンバータ１２に設定するようにしている。換言すれば、仕様の決まったＬＣＤドライバ装置２０およびＬＣＤ装置２２を動作させる場合には、通常表示時の変換信号Ｓ１６Ｂをスキャンコンバータ１２に設定しておくことができる。
（３）ズーム表示時の変換信号Ｓ１６Ｃ
ズーム表示時の変換信号Ｓ１６Ｃは、制御処理部１６が、映像信号調整部１４からの映像信号状態検出信号Ｓ１４を入力して、ズーム表示モードのときに、スキャンコンバータ１２の水平、垂直方向の開始位置、および、水平方向および垂直方向の拡大倍率を計算し、スキャンコンバータ１２において原映像信号ＶＩＤＥＯを変換するときの変換速度（または変換周波数）を示す信号である。ズーム表示時の変換信号Ｓ１６Ｃはズームの率に応じて変化する。このズーム表示時の変換信号Ｓ１６Ｃは、第１マーカー信号ＭＫＲ１によって指定されるセーフ領域ＳＡの範囲も示す。
ユーザは操作指示部１８を介して直観的、または、視覚的にズームの倍率を指定することが多いから、制御処理部１６はユーザが指定したそのようなズームの倍率に応じて変換周波数を換算して、ズーム表示時の変換信号Ｓ１６Ｃとしてスキャンコンバータ１２に出力する。
（４）表示モード指示信号Ｓ１６Ｄ
表示モード指示信号Ｓ１６Ｄは実質的に表示モード指示信号Ｓ１６Ａと同じである。表示モード指示信号Ｓ１６Ａが制御処理部１６からスキャンコンバータ１２に出力されるのに対して、表示モード指示信号Ｓ１６Ｄは制御処理部１６から映像信号調整部１４に出力される。
（５）第１マーカー信号ＭＫＲ１
第１マーカー信号ＭＫＲ１は、操作指示部１８のセーフエリアズームボタン、または、ＬＣＤ装置操作部２２２のセーフエリアズームボタンを介してユーザが指示したＬＣＤドライバ装置２０の表示領域２２０内のセーフ領域ＳＡの範囲を示す信号である。
（６）第２マーカー信号ＭＫＲ２
第２マーカー信号ＭＫＲ２は実質的に第１マーカー信号ＭＫＲ１と同じである。第２マーカー信号ＭＫＲ２は制御処理部１６から映像信号調整部１４に出力される。
【００２７】
上述した各種信号は、Ｉ／Ｏ−ＩＦ１６３を介して、スキャンコンバータ１２、映像信号調整部１４に接続されている。また、操作指示部１８ともＩ／Ｏ−ＩＦ１６３を介して信号の授受が行なわれる。
【００２８】
スキャンコンバータ
図４は図１に図解したスキャンコンバータ１２の構成例を示す図である。
スキャンコンバータ１２は、アナログ形式の原映像信号ＶＩＤＥＯについて制御処理部１６から入力される、表示モード指示信号Ｓ１６Ａ、通常表示時の変換信号Ｓ１６Ｂ、ズーム表示時の変換処理を行い、通常変換映像信号ＶＩＤＥＯ−１またはズーム用映像信号ＶＩＤＥＯ−２を生成する。
スキャンコンバータ１２は、本発明の映像信号変換手段に該当する。
【００２９】
通常変換映像信号ＶＩＤＥＯ−１は、通常表示モードにおいてアナログ形式の原映像信号ＶＩＤＥＯをＬＣＤ装置２２に表示するためのディジタル形式の映像信号に変換した信号である。
ズーム用映像信号ＶＩＤＥＯ−２は、ズーム表示モードにおいて原映像信号ＶＩＤＥＯの一部をズーム拡大してＬＣＤ装置２２に表示するためのディジタル形式の映像信号に変換した信号である。
【００３０】
スキャンコンバータ１２は、Ａ／Ｄ変換部１２０と、ビデオ信号メモリ（ＶＲＡＭ）１２１と、第１の変換処理部１２２と、バッファメモリ（ＢＵＦ）１２３と、スイッチ１２５と、第２の変換処理部１２７と、バッファメモリ（ＢＵＦ）１２８とを有する。
本実施の形態においては、原映像信号ＶＩＤＥＯとしてアナログ形式の映像信号が入力される場合を想定している。なお、原映像信号ＶＩＤＥＯがディジタル形式の映像信号の場合は、Ａ／Ｄ変換部１２０は不要である。
【００３１】
Ａ／Ｄ変換部１２０は、連続的に入力されるアナログ形式の原映像信号ＶＩＤＥＯを、その原映像信号ＶＩＤＥＯの周波数で規定されるサンプリング周波数のクロック信号Ｄ−ＣＬＫに応じてサンプリングして、ディジタル形式の映像信号ＶＩＤＥＯｄに変換して、ビデオ信号メモリ（ＶＲＡＭ）１２１に出力する。
ビデオ信号メモリ（ＶＲＡＭ）１２１は、Ａ／Ｄ変換部１２０でディジタル形式の変換した映像信号ＶＩＤＥＯｄを、１フィールド形式で記憶し、２フィールド分の映像信号ＶＩＤＥＯｄを記憶したとき、最終的に、ＬＣＤ装置２２に表示される形態の１フレーム分の原映像信号ＶＩＤＥＯｄを２次元状に記憶する。
【００３２】
第１の変換処理部１２２は、ビデオ信号メモリ（ＶＲＡＭ）１２１に記憶された１フレーム分の映像信号ＶＩＤＥＯｄを、（通常表示モード時（Ｓ１６Ａ＝０））制御処理部１６から出力される通常表示時の変換信号Ｓ１６Ｂに応じて、ＬＣＤドライバ装置２０およびＬＣＤ装置２２の仕様に応じた、通常変換映像信号ＶＩＤＥＯ−１に変換する。
通常変換映像信号ＶＩＤＥＯ−１は、通常表示モードにおいてアナログ形式の原映像信号ＶＩＤＥＯをＬＣＤ装置２２に、拡大も縮小もなしに、かつ、削除も追加もなしに、実質的に同じ内容で表示するためのディジタル形式の映像信号に変換した信号である。
第１の変換処理部１２２において変換された１フレーム分の第１変換映像信号がバッファメモリ（ＢＵＦ）１２３に記憶される。
【００３３】
スイッチ１２５は、制御処理部１６から出力される表示モード指示信号Ｓ１６Ａが「０」の時、実線で示した状態で、通常表示時の変換信号Ｓ１６Ｂを第１の変換処理部１２２に出力する。他方、表示モード指示信号Ｓ１６Ａが「１」のとき、すなわち、操作指示部１８またはＬＣＤ装置操作部２２２におけるセーフエリアズームボタン（以下、操作指示部１８にセーフエリアズームボタンがある場合についてのみ述べる）が押されたズーム表示モードのとき、破線で示した位置に駆動されて、ズーム表示時の変換信号Ｓ１６Ｃを第２の変換処理部１２７に出力する。表示モード指示信号Ｓ１６Ａは上述したように、「０」の場合は通常表示モードを示し、「１」の場合はズーム表示モード（または部分拡大表示モード）を示す。
【００３４】
第２の変換処理部１２７は、ビデオ信号メモリ（ＶＲＡＭ）１２１から出力される映像信号ＶＩＤＥＯ（ａ）を、制御処理部１６から出力されるズーム表示時の変換信号Ｓ１６Ｃに応じたセーフ領域ＳＡについて指定された拡大率で変換処理して、ズーム用映像信号ＶＩＤＥＯ−２を生成する。
バッファメモリ（ＢＵＦ）１２８は、第２の変換処理部１２７で処理されたズーム用映像信号ＶＩＤＥＯ−２を記憶する。
【００３５】
なお、スキャンコンバータ１２において、バッファメモリ（ＢＵＦ）１２３およびバッファメモリ（ＢＵＦ）１２８は必須ではなく、第１の変換処理部１２２からの通常変換映像信号ＶＩＤＥＯ−１、第２の変換処理部１２７からの部分拡大映像信号ＶＩＤＥＯ−２を直接、後段の映像信号調整部１４に出力することもできる。
【００３６】
また、スイッチ１２５を削除し、制御処理部１６から、変換信号Ｓ１６ＢかＳ１６Ｃのいずれかを出力してもよい。
【００３７】
映像信号調整部
図５は図１に図解した映像信号調整部１４の構成例を示す図である。
映像信号調整部１４は、ノーマルスキャン表示（通常表示モード）時に、スキャンコンバータ１２で変換された通常変換映像信号ＶＩＤＥＯ−１が１ライン毎に発生する水平同期信号Ｈ−ＳＹＮＣの数をカウントし、垂直方向のセーフ領域ＳＡの位置をコントロールする。また映像信号調整部１４は、１画素を示す１ドットごとに発生するドットクロックＤ−ＣＬＫの数をカウントすることにより水平方向のセーフ領域ＳＡの位置を検出して水平方向の映像信号の処理をコントロールする。その際、セーフ領域ＳＡ外の映像にハーフブランキング（画像を暗くすること）  をかけるなどして、表示領域２２０内のセーフ領域ＳＡをユーザが視覚的に確認できるようにする。
また、映像信号調整部１４は、カウントした水平同期信号の値およびドットクロックの値を示す映像信号状態検出信号Ｓ１４を制御処理部１６に出力する。
映像信号調整部１４は本発明の映像信号調整手段に該当する。
【００３８】
映像信号調整部１４の詳細は図５および図６（Ａ）〜（Ｃ）を参照して後述する。
映像信号調整部１４は、スイッチ１４１と、水平同期信号カウンタ１４３と、ドットクロックカウンタ１４５と、映像信号処理部１４７とを有する。
図６（Ａ）〜（Ｃ）は映像信号調整部１４の動作を説明するタイミングチャートである。図６（Ａ）〜（Ｃ）を参照して映像信号調整部１４の動作の概要を述べる。
【００３９】
スイッチ１４１は制御処理部１６から出力される表示モード指示信号Ｓ１６Ｄに応じて、通常変換映像信号ＶＩＤＥＯ−１またはズーム用映像信号ＶＩＤＥＯ−２のいずれかを選択出力する。制御処理部１６から出力される表示モード指示信号Ｓ１６Ｄは、「０」の場合は通常表示モードを示し、「１」の場合はズーム表示モードを示す。したがって、スイッチ１４１は「０」の表示モード指示信号Ｓ１６Ｄのとき通常変換映像信号ＶＩＤＥＯ−１を選択出力し、「１」の表示モード指示信号Ｓ１６Ｄのときズーム用映像信号ＶＩＤＥＯ−２を選択出力する。通常表示モードにおいてスイッチ１４１で選択出力された信号をセーフエリアマーカー（ＳＡＭ）付拡大映像信号ＶＩＤＥＯ−３と呼ぶ。
映像信号ＶＩＤＥＯ−３は映像信号処理部１４７、水平同期信号カウンタ１４３、ドットクロックカウンタ１４５に入力される。
【００４０】
水平同期信号カウンタ１４３は、表示モード指示信号Ｓ１６Ｄに応じて、映像信号ＶＩＤＥＯ−３に含まれる垂直同期信号Ｖ−ＳＹＮＣをリセットパルスとして、垂直同期信号Ｖ−ＳＹＮＣが到来するたび、すなわち、毎フィールドごと（または毎フレームごと）、映像信号ＶＩＤＥＯ−３に含まれる水平同期信号Ｈ−ＳＹＮＣの数を計数する。その結果、水平同期信号カウンタ１４３は１フィールド（または１フレーム）ごとの映像信号ＶＩＤＥＯ−３の水平方向の位置を検出することができ検出した水平方向位置データＳ１４３を映像信号処理部１４７に出力する。
ドットクロックカウンタ１４５は、表示モード指示信号Ｓ１６Ｄ＝「０」のとき、映像信号ＶＩＤＥＯ−３に含まれる水平同期信号Ｈ−ＳＹＮＣをリセットパルスとして、映像信号ＶＩＤＥＯ−３に含まれるドットクロック信号Ｄ−ＣＬＫの数を計数する。ドットクロックカウンタ１４５は、１ドットクロックを拡大して図解したように、ドットクロックＤ−ＣＬＫの立上りの変化を計数する。したがって、ドットクロックカウンタ１４５は映像信号ＶＩＤＥＯ−３の各水平方向の映像データの位置を検出することができ、検出した水平方向位置データＳ１４５を映像信号処理部１４７に出力する。なお、図６（Ｃ）には、図解の簡略化のため、ドットクロックＤ−ＣＬＫを１本の線で示したが、実際のドットクロックＤ−ＣＬＫは、部分的に拡大表示したように、ハイレベル／ローレベルが等間隔である。
【００４１】
映像信号処理部１４７は、水平方向位置データＳ１４３および水平方向位置データＳ１４５を映像信号状態検出信号Ｓ１４として制御処理部１６に出力する。したがって、制御処理部１６は映像信号ＶＩＤＥＯ−３の水平位置および垂直位置を知ることができる。
【００４２】
映像信号処理部１４７はまた、水平方向位置データＳ１４３および水平方向位置データＳ１４５を入力して映像信号ＶＩＤＥＯ−３の水平および水平方向の位置と、セーフエリアマーカー（ＳＡＭ）付拡大映像信号ＶＩＤＥＯ−３に付加された（重畳された）セーフ領域ＳＡを示すマーカー、または、第２マーカー信号ＭＫＲ２で指定されたセーフ領域ＳＡを判断して、セーフ領域ＳＡの外部について、たとえば、ハーフブランキング（画像を暗くすること）  など処理を行なう。
映像信号処理部１４７で処理したハーフブランキング処理などが行なわれた映像信号を調整後映像信号ＶＩＤＥＯ−４という。
【００４３】
ＬＣＤ装置２２は調整後映像信号ＶＩＤＥＯ−４を入力して表示信号Ｓ２０としてＬＣＤ装置２２に出力する。その結果、ズーム表示モードにおいては、ＬＣＤ装置２２にユーザが操作指示部１８のセーフエリアズームボタンで指定した映像が表示される。
なお、通常表示モードにおいては、スキャンコンバータ１２からの通常変換映像信号ＶＩＤＥＯ−１がＬＣＤ装置２２に表示される。
【００４４】
ＬＣＤドライバ装置２０は、映像信号調整部１４の映像信号処理部１４７から出力された映像信号ＶＩＤＥＯ−３、または、調整後映像信号ＶＩＤＥＯ−４を表示信号Ｓ２０としてＬＣＤ装置２２に表示処理する動作を行なう。
【００４５】
図７の図解したフローチャートを参照して表示システム１０、特に、制御処理部１６の演算処理部（ＣＰＵ）１６０の処理を述べる。
【００４６】
ステップ１（Ｓ１）：仕様設定操作
ステップ１において、上述した映像信号の各種仕様およびＬＣＤ装置２２の仕様は、表示システム１０の動作を開始する前段階（初期段階）において、たとえば、ユーザによって操作指示部１８を用いて制御処理部１６に事前に設定される。
制御処理部１６は操作指示部１８を介して設定された各種仕様を入力して、制御処理部１６内のメモリ、たとえば、ランダムアクセスメモリ（ＲＡＭ）１６１（図３）に記憶する。すなわち、表示システム１０の動作の前段階において、１または複数の表示対象の映像信号の仕様と、ＬＣＤ装置２２の仕様とを制御処理部１６のメモリに記憶しておく。
たとえば、スキャンコンバータ１２に入力され得る各種の映像信号の１つを入力してＬＣＤ装置２２に表示するとき、ユーザが操作指示部１８から映像信号（原映像信号ＶＩＤＥＯ）の種類を指定する。制御処理部１６が指定された情報を入力して制御処理部１６内のメモリ（ＲＡＭ１６１）に記憶し、制御処理部１６がメモリに記憶した指定された映像信号の仕様、周波数、ドット数などをスキャンコンバータ１２に設定する。なお、制御処理部１６を介して、あるいは、直接、スキャンコンバータ１２にＬＣＤ装置２２のアスペクト比、（水平方向の画素数）ｘ（垂直方向の画素数）などの仕様を設定してもよい。その場合、上述した制御処理部１６からスキャンコンバータ１２へのＬＣＤ装置２２の仕様の出力は不要となる。
設定ステップ１における仕様設定処理により、ユーザは、自分の望みの映像信号を、ＬＣＤ装置２２の仕様に合わせて、図２（Ｂ）に例示した、ＬＣＤ装置２２の表示領域に表示することが可能となる。
【００４７】
ステップ２（Ｓ２）：表示領域設定操作
ステップ２において、ユーザは、図２（Ａ）に例示したＬＣＤ装置２２の表示可能領域のうち、初期設定として、図８（Ａ）に図解したように、セーフ領域ＳＡとして使用する領域およびブランキング領域ＢＡとして使用する領域を、操作指示部１８を用いて制御処理部１６に設定する。
制御処理部１６は設定された領域データをメモリ、たとえば、ＲＡＭ１６１に記憶する。
ユーザが設定する領域データとしては、図２（Ｂ）に例示したように、ＬＣＤ装置２２の表示画面の画素の座標位置、すなわち、原点位置（０，０）に対するｘ１，ｘ２，ｙ１，ｙ２である。制御処理部１６は、４隅の座標位置（ｘ１，ｙ１），（ｘ２，ｙ１），（ｘ１，ｙ２），（ｘ２，ｙ２）をメモリ（ＲＡＭ１６１）に記憶する。
【００４８】
動作１（ＯＰ１）：通常表示
これにより、原映像信号ＶＩＤＥＯが入力されると、スキャンコンバータ１２は、初期状態において、制御処理部１６から表示モード指示信号Ｓ１６Ａ＝「０」が出力されている通常変換モードにおいて、指定された原映像信号ＶＩＤＥＯの周波数に対応したサンプリング周波数でディジタルの通常変換映像信号ＶＩＤＥＯ−１に変換する。すなわち、スキャンコンバータ１２は、通常変換モードにおいて、原映像信号ＶＩＤＥＯを、ＬＣＤ装置２２のアスペクト比、解像度または（水平方向の画素数）ｘ（垂直方向の画素数）に応じて、通常変換映像信号ＶＩＤＥＯ−１に変換する。
通常変換映像信号ＶＩＤＥＯ−１がＬＣＤ装置２２のセーフ領域ＳＡに表示される。
なお、通常変換映像信号ＶＩＤＥＯ−１と呼ぶのは、ズーム用映像信号ＶＩＤＥＯ−２との区別のためである。
【００４９】
映像信号調整部１４は、通常表示モードにおいて、上述したように、通常変換映像信号ＶＩＤＥＯ−１の１ライン毎に発生する同期信号、すなわち、水平同期信号Ｈ−ＳＹＮＣをカウントしＬＣＤ装置２２の画面の垂直方向のセーフエリアをコントロールする。また、１ドット（１画素）ごとに発生するクロックであるドットクロックＤ−ＣＬＫをカウントすることによりＬＣＤ装置２２の画面の水平方向のセーフエリアをコントロールする。
【００５０】
ステップ３（Ｓ３）：セーフエリア確認表示
動作２（ＯＰ２）：セーフ領域表示
ステップ２における領域設定があったときで、ユーザからセーフ領域ＳＡの確認要求指示があると、制御処理部１６は、操作指示部１８を介したユーザの指定があった場合、映像信号調整部１４に指令して、映像信号処理部１４７においてセーフ領域ＳＡの外部の部分を、たとえば、図８（Ａ）に斜線で示したように、ハーフブランキング状態に表示させる。これにより、セーフ領域ＳＡが視覚的に容易に確認できる。
ただし、ユーザからセーフ領域ＳＡの確認表示指定がない場合はそのような表示処理は行なわない。
【００５１】
ステップ２におけるセーフ領域ＳＡ設定処理により、ユーザはセーフ領域ＳＡの領域を指定でき、さらに希望すれはユーザは自己が設定したセーフ領域ＳＡを目視により確認することができる。
【００５２】
ステップ１の仕様設定操作は、使用するＬＣＤ装置２２と表示対象の映像信号が定まると１回行なうだけであるが、ステップ２、３の処理は必要に応じて何度でも行なうことができる。すなわち、セーフ領域ＳＡの領域はユーザの希望に応じて変更できる。
【００５３】
ステップ３（Ｓ３）：表示領域変更指定
セーフ領域ＳＡの変更方法としては、たとえば、図８（Ｂ）に例示するように、ユーザが、操作指示部１８のセーフエリアズームボタン、あるいは、マウスを用いて、ＬＣＤ装置２２の表示領域２２０におけるセーフ領域ＳＡの境界線を区画する。これにより、ズーム表示領域が指定される。
【００５４】
動作３（ＯＰ３）：表示領域変更処理
通常表示モードにおいて通常変換映像信号ＶＩＤＥＯ−１をＬＣＤ装置２２に表示しているとき、ユーザが操作指示部１８内のセーフエリアズームボタンを押すとまたはマウスを操作すると、制御処理部１６はそのボタン操作が入力されたときの制御処理部１６から出力される映像信号状態検出信号Ｓ１４を入力して、映像信号調整部１４がカウントした垂直方向位置および水平方向位置の値に基づいてスキャンコンバータ１２のの水平方向および垂直方向の開始位置、及び、水平方向および垂直方向の拡大倍率を計算し、スキャンコンバータ１２の変換条件を変更する。
スキャンコンバータ１２はズーム時の変換制御信号Ｓ１６Ｃで指定された変換条件に従って、セーフエリアズームボタンまたはマウスで指定された周囲の映像信号を、図８（Ｃ）に図解したように、拡大表示するための変換処理を行なう。
【００５５】
さらにユーザは、操作指示部１８に設けたズーム指定スイッチ、または、ＬＣＤ装置操作部２２２に設けたズーム指定スイッチをズームしただけ押す。制御処理部１６はズーム指定スイッチの操作時間の間、所定の比率でセーフエリアズームボタンで指定された領域の映像信号を拡大表示させるための倍率を計算した変換制御信号Ｓ１６Ｃとしてスキャンコンバータ１２に出力する。スキャンコンバータ１２は指定された変換条件で原映像信号ＶＩＤＥＯを変換する。
これにより、ユーザがズーム指定スイッチを操作している間、映像信号が拡大表示される。なお、映像信号の拡大表示倍率は最大値を指定しておき、最大倍率に到達したら、制御処理部１６はズーム指定スイッチの操作を無効化する。
【００５６】
あるいは、制御処理部１６は、好ましくは、セーフエリアズームボタンの指定があったとき、セーフエリアズームボタンで指定された所定範囲の映像信号をセーフ領域ＳＡの範囲内、または、表示領域２２０の全体にわたって表示されるように、スキャンコンバータ１２に変換制御信号Ｓ１６Ｃを出力することができる。すなわち、制御処理部１６は、表示領域２２０の全体画面の大きさ、または、セーフ領域ＳＡの大きさが判り、さらに、セーフエリアズームボタンで指定された範囲が分かるから、計算により、スキャンコンバータ１２に指定する拡大率を求める事が出来る。
このような処理によれば、ユーザがセーフエリアズームボタンによって指定した範囲の映像信号が、セーフエリアズームボタンを操作するだけで、セーフ領域ＳＡ全体、または、表示領域２２０全体にわたって表示される。
【００５７】
ステップ４（Ｓ４）：表示モード復帰指定
セーフ領域ＳＡを変更した後、通常表示モードに復帰するには、ユーザは操作指示部１８に設けられた「通常表示モード指定スイッチ」を押す。
【００５８】
動作４（ＯＰ４）：表示モード復帰処理
制御処理部１６は、「通常表示モード指定スイッチ」が押されたことを検出したら、ＲＡＭ１６１に記憶してある通常表示モードのスキャンコンバータ１２の動作条件を変換制御信号Ｓ１６としてスキャンコンバータ１２に出力する。
それにより、スキャンコンバータ１２は通常表示モードの変換処理を行なう。その結果、通スキャンコンバータ１２から通常変換映像信号ＶＩＤＥＯ−１が出力されて、ＬＣＤ装置２２に表示される。
【００５９】
第２実施の形態
第１実施の形態は、ＬＣＤ装置２２の表示領域２２０に表示されている映像信号をセーフエリアズームボタンまたはマウスで指定した範囲をズーム表示（拡大表示）させ、一度に通常表示モードに戻す場合について述べたが、第１実施の形態においてズーム表示モードで拡大表示されている映像を、通常変換映像信号ＶＩＤＥＯ−１まで、任意の尺度で連続的に縮小表示させることもできる。
その場合は、たとえば、操作指示部１８に縮小表示を指定するジョイステックを設けるか、ＬＣＤ装置操作部２２２に縮小表示指示ボタンを設け、ジョイステックまたは縮小表示指示ボタンが押されている間、制御処理部１６で縮小指示信号を読み取り、その時の縮小倍率を計算して、ズーム時の変換制御信号Ｓ１６Ｃとしてスキャンコンバータ１２に出力する。
スキャンコンバータ１２は指定された倍率の変換条件で原映像信号ＶＩＤＥＯを変換する。
【００６０】
本発明の実施に際しては上述した実施の形態に限定されない。
たとえば、図１を参照して例示した各部分の処理機能、および、機能分担は、例示にすぎず、表示システム１０として上述した処理が遂行できればよい。
【００６１】
【発明の効果】
本発明によれば、映像信号の拡大または縮小の範囲を任意にかつ容易に指定することができる。
また本発明によれば、拡大される範囲を事前に視覚的に確認することができる。
さらに本発明によれば、映像信号を希望するだけ、拡大または縮小表示することができる。
【図面の簡単な説明】
【図１】図１は本発明の固定画素型表示システムの第１実施の形態の表示システムの構成図である。
【図２】図２（Ａ）は図１に図解したＬＣＤ装置の正面外観図であり、図２（Ｂ）は図２（Ａ）の表示部分を示す図である。
【図３】図３は図１に図解した制御処理部の構成例を示す図である。
【図４】図４は図１に図解したスキャンコンバータの構成例を示す図である。
【図５】図５は図１に図解した映像信号調整部の構成例を示す図である。
【図６】図６（Ａ）〜（Ｃ）は、図５に図解した映像信号調整部における動作を説明するための信号波形図である。
【図７】図７は図１に図解した固定画素型表示システムの動作を示すフローチャートである。
【図８】図８（Ａ）〜（Ｃ）は、図７を参照して述べる表示システムの動作に伴うＬＣＤ装置に表示される表示状態を示す図である。
【符号の説明】
１０・・表示システム
１２・・スキャンコンバータ
１２０・・Ａ／Ｄ変換部、１２１・・ビデオ信号メモリ
１２２・・第１の変換処理部、１２３・・バッファメモリ
１２５・・スイッチ
１２７・・第２の変換処理部、１２８・・バッファメモリ
１４・・映像信号調整部
１４１・・スイッチ、１４３・・水平同期信号カウンタ
１４５・・ドットクロックカウンタ
１４７・・映像信号処理部
１６・・制御処理部
１６０・・演算処理部（ＣＰＵ）、１６１・・ＲＡＭ
１６２・・ＲＯＭ、１６３・・Ｉ／Ｏ−ＩＦ
１６４・・バス
１８・・操作指示部
２０・・ＬＣＤドライバ装置
２２・・ＬＣＤ装置
２２０・・表示領域（ＳＡ・・セーフ領域ＢＡ・・ブランキング領域）
２２２・・ＬＣＤ装置操作部
ＶＩＤＥＯ・・原映像信号、ＶＩＤＥＯ−１・・通常変換映像信号
ＶＩＤＥＯ−２・・ズーム用映像信号
ＶＩＤＥＯ−３・・セーフエリアマーカー付拡大映像信号
ＶＩＤＥＯ−４・・調整後映像信号
Ｓ１４・・映像信号状態検出信号
Ｓ１６Ａ、Ｓ１６Ｄ・・表示モード指示信号
Ｓ１６Ｂ・・通常表示時の変換信号、Ｓ１６Ｃ・・ズーム表示時の変換信号
ＭＫＲ１、ＭＫＲ２・・マーカー信号、Ｓ２０・・表示信号
【図１】
2004271802.tif 000003
【図２】
2004271802.tif 000004
【図３】
2004271802.tif 000005
【図４】
2004271802.tif 000006
【図５】
2004271802.tif 000007
【図６】
2004271802.tif 000008
【図７】
2004271802.tif 000009
【図８】
2004271802.tif 000010